(57)【要約】【課題】Ｖ．３４手順、Ｖ．３４画伝送の実行、また、Ｖ．８手順後に、Ｖ．２１手順、Ｖ．２７ｔｅｒ、または、Ｖ．２９、または、Ｖ．１７画伝送の実行、また、Ｖ．８手順を実行せずに、Ｖ．２１手順、Ｖ．２７ｔｅｒ、または、Ｖ．２９、または、Ｖ．１７画伝送の実行を、ユーザ設定によって確実に実現することができるファクシミリ通信装置を提供することを目的とするものである。【解決手段】Ｖ．８手順を実行した後に、Ｖ．３４手順、Ｖ．３４半二重プライマリーチャネル伝送を実行、または、Ｖ．２１手順、Ｖ．２７ｔｅｒ、または、Ｖ．２９、または、Ｖ．１７画伝送を実行する手段と、上記Ｖ．８手順を実行せずにＶ．２１手順、Ｖ．２７ｔｅｒ、または、Ｖ．２９、または、Ｖ．１７画伝送を実行する手段とを有するファクシミリ通信装置である。【選択図】　図１
2004023124.tif 000002
【特許請求の範囲】
【請求項１】
相手先装置との間でＩＴＵ−Ｔ勧告Ｖ．８に規定される手順を実行し、上記手順に基づいて、上記相手先装置との間で実行可能な画伝送モードを設定するファクシミリ通信装置において、
上記Ｖ．８手順を実行した後に、Ｖ．３４手順、Ｖ．３４半二重プライマリーチャネル伝送を実行、または、Ｖ．２１手順、Ｖ．２７ｔｅｒ、または、Ｖ．２９、または、Ｖ．１７画伝送を実行する手段と；
上記Ｖ．８手順を実行せずに、Ｖ．２１手順、Ｖ．２７ｔｅｒ、または、Ｖ．２９、または、Ｖ．１７画伝送を実行する手段と；
を有することを特徴とするファクシミリ通信装置。
【請求項２】
請求項１において、
上記Ｖ．３４半二重プライマリーチャネルの実行を禁止する手段と；
上記Ｖ．８手順の実行を禁止する手段と；
を有することを特徴とするファクシミリ通信装置。
【請求項３】
請求項１または請求項２において、
上記Ｖ．３４半二重プライマリーチャネルの実行を禁止することが選択されていると、上記Ｖ．８手順後に、上記Ｖ．２１手順、上記Ｖ．２７ｔｅｒ、または、上記Ｖ．２９、または、上記Ｖ．１７画伝送を実行することを特徴とするファクシミリ通信装置。
【請求項４】
請求項１〜請求項３のいずれか１項において、
上記Ｖ．８手順の実行を禁止することが選択されていると、上記Ｖ．８手順を実行せずに、上記Ｖ．２１手順、上記Ｖ．２７ｔｅｒ、または、上記Ｖ．２９、または、上記Ｖ．１７画伝送を実行する手段を有することを特徴とするファクシミリ通信装置。
【請求項５】
相手先装置との間でＩＴＵ−Ｔ勧告Ｖ．８に規定される手順を実行し、その手順に基づいて、上記相手先装置との間で実行可能な画伝送モードを設定するファクシミリ通信方法において、
上記Ｖ．８手順を実行した後に、Ｖ．３４手順、Ｖ．３４半二重プライマリーチャネル伝送を実行、または、Ｖ．２１手順、Ｖ．２７ｔｅｒ、または、Ｖ．２９、または、Ｖ．１７画伝送を実行する段階と；
上記Ｖ．８手順を実行せずに、Ｖ．２１手順、Ｖ．２７ｔｅｒ、または、Ｖ．２９、または、Ｖ．１７画伝送を実行する段階と；
を有することを特徴とするファクシミリ通信方法。
【発明の詳細な説明】
【０００１】
【発明の属する技術分野】
本発明は、ファクシミリ通信方式、特にＩＴＵ−Ｔ勧告Ｖ．８通信が可能なファクシミリ通信方式に関する。
【０００２】
【従来の技術】
１９９４年、ＩＴＵ−Ｔにおいて、勧告Ｖ．８が成立し、このＶ．８に規定されている手順を、ファクシミリ装置に適用することが考えられる。
【０００３】
上記Ｖ．８による手順が適用されるファクシミリ装置は、Ｖ．３４に規定されている手順、画伝送をサポートするファクシミリ装置が対象とされている。ここで、その後、上記Ｖ．８において、Ｖ．１７の記載はあるものの、明確には通信が決められていない。
【０００４】
【発明が解決しようとする課題】
しかし、受信機がＶ．３４通信をサポートし、着信時に、ＡＮＳａｍ信号を送信し、送信機から、Ｖ．３４通信不可を指定されたＣＭ信号を受信した場合、明確にその後のＶ．８通信手順が決まっていないので、Ｖ．２１のＤＩＳ信号で送信するＤＩＳ信号の受信可能変復調の決定が不明確であるという問題がある。
【０００５】
一方、将来的には、Ｖ．８手順後に、Ｖ．２１手順が一般に普及されることが予想される。
【０００６】
ここで、Ｖ．３４通信、Ｖ．８通信を独立して考え、通信制御を実行することが提案されていないという大きな問題がある。
【０００７】
本発明は、Ｖ．３４手順、Ｖ．３４画伝送の実行、また、Ｖ．８手順後に、Ｖ．２１手順、Ｖ．２７ｔｅｒ、または、Ｖ．２９、または、Ｖ．１７画伝送の実行、また、Ｖ．８手順を実行せずに、Ｖ．２１手順、Ｖ．２７ｔｅｒ、または、Ｖ．２９、または、Ｖ．１７画伝送の実行を、ユーザ設定によって確実に実現することができるファクシミリ通信装置およびファクシミリ通信方法を提供することを目的とするものである。
【０００８】
【課題を解決するための手段】
本発明は、相手先装置との間でＩＴＵ−Ｔ勧告Ｖ．８に規定される手順を実行し、その手順に基づいて、上記相手先装置との間で実行可能な画伝送モードを設定するファクシミリ通信方式において、Ｖ．８手順を実行した後に、Ｖ．３４手順、Ｖ．３４半二重プライマリーチャネル伝送を実行、または、Ｖ．２１手順、Ｖ．２７ｔｅｒ、または、Ｖ．２９、または、Ｖ．１７画伝送を実行する手段と、上記Ｖ．８手順を実行せずにＶ．２１手順、Ｖ．２７ｔｅｒ、または、Ｖ．２９、または、Ｖ．１７画伝送を実行する手段とを有するファクシミリ通信装置である。
【０００９】
【発明の実施の形態および実施例】
［第１の実施例］
まず、ＩＴＵ−Ｔによって勧告化されたＶ．８の手順信号について説明する。
【００１０】
図１２は、ＩＴＵ−Ｔ勧告Ｖ．８の手順信号に含まれるプリアンブルの構成を示す図である。
【００１１】
図１３は、ＩＴＵ−Ｔ勧告Ｖ．８の手順信号の情報カテゴリを決定するカテゴリオクテットのフォームを示す図である。
【００１２】
図１４は、起呼機能オクテットのビットの使用例を示す図である。
【００１３】
図１５は、ＩＴＵ−Ｔ勧告Ｖ．８の手順信号で指定する変調モードを示す図である。
【００１４】
図１６は、ＩＴＵ−Ｔ勧告Ｖ．８の手順信号のプロトコルカテゴリ内部の符号一覧を表す図である。
【００１５】
図１７は、ＩＴＵ−Ｔ勧告Ｖ．８の手順信号のＧＳＴＮに接続するセルラーアクセスを示す符号を表す図である。
【００１６】
Ｖ．８の手順信号には、起呼メニュー信号（以下、「ＣＭ」という）と、ＣＭ終端子（以下、「ＣＪ」という）と、共通メニュー信号（以下、「ＪＭ」という）とが含まれている。
【００１７】
ＣＭは、起呼ＤＣＥから送信される信号であり、この信号は、主に起呼ＤＥＣで利用可能な変調方式を表示するために使用される。ＣＭは、勧告Ｖ．２１で定義された低域チャンネルＶ．２１（Ｌ）によって変調された３００ｂｉｔ／ｓの反復ビット列で構成されている。
【００１８】
ＣＪは、ＪＭを検出した確認とＣＭの終了とを示す信号である。ＣＪは、３００ｂｉｔ／ｓのＶ．２１（Ｌ）で変調され、スタートｂｉｔ／ｓとストップｂｉｔ／ｓとを含み、連続する３つの総て「０」のオクテットで構成されている。
【００１９】
ＪＭは、応答ＤＥＣから送信される信号であり、この信号は、主に起呼および応答ＤＥＣで共通した利用可能な変調方式を示すために使用されている。ＪＭは、勧告Ｖ．２１で定義されている高域チャンネルＶ．２１（Ｈ）によって変調された３００ｂｉｔ／ｓの反復ビット列で構成されている。
【００２０】
次に、ＣＭ、ＣＪ、ＪＭの各信号の符号化フォーマットについて説明する。
【００２１】
ＣＭ、ＣＪ、ＪＭには、共通の符号化フォーマットが使用され、各信号ＣＭ、ＣＪ、ＪＭは、繰り返すビットシーケンスで構成されている。１つのシーケンスは、最初１０個の「１」と、それに続く１０ビットの同期符号と、さらに続く情報を載せたオクテットとによって構成されている。各オクテットのそれぞれには、先行するスタートビット（「０」）と、後続するストップビット（「１」）とが付加される。
【００２２】
ＪＭには、同じＶ．２１（Ｈ）変調を使用している勧告Ｔ．３０との混乱を避けるために、そのビット配置に、ＨＤＬＣフラグ（０１１１１１１０）が決して現れないような、符号制約条件が課せられている。
【００２３】
各オクテットは、ある１つの情報カテゴリに属する。大多数の応用によって信号の簡潔さが守られるならば、特別の応用のため、情報カテゴリが拡張されることを、この符号化フォーマットは許容している。
【００２４】
１つのシーケンスの最初の情報カテゴリは、起呼機能でなければならない。この起呼機能に後続する情報カテゴリのなかでは、その順序は特に規定されていない。１つのカテゴリの中の総ての情報は、１オクテットまたは、必要であれば、順序が決められた１つのオクテット・シーケンスによって伝達される。
【００２５】
次に、カテゴリオクテットについて、図１３を参照しながら説明する。
【００２６】
図１３には、ＩＴＵ−Ｔ勧告Ｖ．８の手順信号の情報カテゴリを決定するカテゴリオクテットのフォームが示されている。
【００２７】
カテゴリオクテットは、新たな情報カテゴリの中では最初に発生されるオクテットであり、このオクテットには、情報カテゴリを決定する４ビットの符号を含んでいる。このフォーマットは、以下のように構成され、表示されたビットは、左から右の順番で送信される。
【００２８】
スタートビット　（０）　ｂ０　ｂ１　ｂ２　０　１　０　ｂ６　ｂ７　ストップビット　（１）
ビットｂ０〜ｂ３は、図１３に示すように、ｂ０を最下位ビットとするカテゴリを形成し、ビットｂ４は、フラグが成立しないように「０」に設定される。また、ｂ５〜ｂ７は、情報カテゴリのオプションビットである。
【００２９】
３つのオプションビットで、特定のカテゴリを表すのに不足する場合は、カテゴリオクテットの直後に、拡張オクテットをいくつでも続けることができる。
【００３０】
この拡張オクテットのフォーマットは、以下に示すように構成されている。
【００３１】
スタートビット　（０）　ｂ０　ｂ１　ｂ２　０　１　０　ｂ６　ｂ７　ストップビット　（１）
ビットｂ０〜ｂ２、ｂ６、ｂ７は、そのときのカテゴリに追加される５つのビットである。ビットｂ４は、カテゴリオクテットから拡張オクテットを区別するために、「１」に設定され、ｂ３とｂ５とは、フラグが成立しないように「０」に設定される。
【００３２】
次に、ビットｂ０〜ｂ３で決定される情報カテゴリである起呼機能、変調モード、プロトコル、ＧＳＴＮアクセスについて、それぞれ図１４〜図１８を参照しながら説明する。
【００３３】
起呼機能オクテットの中の３つのオプションビットは、図１４に示すように、ｂｉｔ５、ｂｉｔ６、ｂｉｔ７で規定している特定の起呼機能を指定するために、使用されている。
【００３４】
ＧＳＴＮで使用可能なＶシリーズ変調モードは、図１５に示すように、３つの符号で指定されている。使用可能であるという設定は、表示された起呼機能の中で、その変調モードが使用可能であり、しかも遠隔ＤＣＥに対し、その能力を伝えたいと望む場合に限られる。
【００３５】
ＩＴＵ−Ｔ勧告Ｖ．８の手順信号のプロトコルカテゴリ内部の符号一覧が、図１６に示されている。もし、ＬＡＰＭプロトコル符号がＣＭで示され、それを受け取った応答ＤＣＥ側が同じくＬＡＰＭを使用したい場合、ＪＭでも、ＬＡＰＭを表示するプロトコルオクテットが表示される。
【００３６】
ＩＴＵ−Ｔ勧告Ｖ．８の手順信号のＧＳＴＮに接続するセルラーアクセスを示す符号が、図１７に示されている。
【００３７】
次に、Ｖ．３４に規定されているＩＮＦＯ０の情報ビットについて説明する。
【００３８】
図１８は、ＩＴＵ−Ｔ勧告によるＶ．３４のＩＮＦＯ０シーケンスのビット定義を示す図である。
【００３９】
ＩＮＦＯ０は、送信能力を表示するために使用される信号であり、その信号シーケンスのビットは、図１８に示すように、定義されている。
【００４０】
なお、本実施例では、ＩＮＦＯ０ａは、被呼側から送出する信号であるとし、ＩＮＦＯ０ｃは、発呼側から送出する信号であるとする。
【００４１】
本発明の第１の実施例について図を参照しながら説明する。
【００４２】
図１は、本発明の第１の実施例であるファクシミリ装置ＦＳ１を示すブロック図である。
【００４３】
ファクシミリ装置ＦＳ１において、ＮＣＵ２は、電話回線２ａに接続されている網制御装置であり、電話網をデータ通信等に使用するために、回線端末へ接続する等の電話交換網の接続制御、データ通信路への切替を行い、電話回線２ａと電話機４との接続、および電話回線２ａとハイブリッド回路６との接続を選択的に切り換える。
【００４４】
ＮＣＵ２と電話機４とは、信号線２ｂで接続され、ＮＣＵ２とハイブリッド回路６とは、信号線２ｃで接続されている。ＮＣＵ２の切換動作は、後述する制御回路２０で制御される。制御回路２０から信号線２０ａを介して与えられる制御信号が「０」であるときに、電話回線２ａと電話機４とが接続される。これに対し、上記制御信号が「１」であるとき、電話回線２ａとハイブリッド回路６とが接続される。なお、通常状態では、電話回線２ａと電話機４との接続が選択されている。
【００４５】
ハイブリッド回路６は、電話回線２ａを介して送信される送信系からの送信信号と、電話回線２ａを介して受信される受信系への受信信号とを分離する。
【００４６】
送信系は、ＣＣＤ（電化結合素子）などの撮像素子と光学系とによって構成されている読取回路１４と、ＡＮＳａｍ送出回路１０とを有する。
【００４７】
読取回路１４は、送信原稿から主走査方向の１ライン分の画像を、順次、読取り、この読み取られた画像を示すデータが、信号線１４ａに出力される。
【００４８】
ＡＮＳａｍ送出回路１０は、制御回路２０から信号線２０ｄを介して、レベル「１」の信号が与えられたときに、信号線１０ａにＡＮＳａｍ信号を出力する。これに対し、制御回路２０から信号線２０ｄを介して、レベル「０」の信号が与えられたときに、ＡＮＳａｍ信号が信号線１０ａへは出力されない。
【００４９】
読取回路１４から信号線１４ａを介して出力されたデータは、制御回路２０に与えられる。制御回路２０は、信号線１４ａを介して取り込まれたデータについて符号化処理を施し、この符号化されたデータは、信号線２０ｂを介して、変復調器８に出力される。
【００５０】
変復調器８は、信号線２０ｂから受けた符号化されたデータについて変調処理を施し、変調信号を生成するとともに、ハイブリッド回路６から、信号線６ａを介して取り込まれた受信信号について復調処理し、復調データを生成する。
【００５１】
この変調処理と復調処理とは、ＩＴＵ−Ｔ勧告Ｖ．８、Ｖ．２１、Ｖ．２７ｔｅｒ、Ｖ．２９、Ｖ．１７、Ｖ．３４に基づいて、実行される。変復調器８による変調、復調処理の内容は、制御回路２０から信号線２０ｃを介して与えられる信号によって指示され、この指示された変調、復調処理によって、伝送モードが決定される。
【００５２】
変復調器８で生成された変調信号は、信号線８ａを介して、加算回路１２に与えられる。加算回路１２は、変復調器８からの変調信号と、ＡＮＳａｍ送出回路１０からのＡＮＳａｍ信号とを加算する。この加算された信号は、信号線１２ａを介して、ハイブリッド回路６に出力され、ハイブリッド回路６は、上記加算された信号を、送信信号としてＮＣＵ２経由で電話回線２ａに送出する。
【００５３】
これに対し、受信系では、ＮＣＵ２経由で、相手装置から受信した信号が、信号線６ａを介して、ハイブリッド回路６から変復調器８に出力される。変復調器８は、上記のように、信号線６ａを介して取り込まれた受信信号について復調処理し、復調データを生成する。変復調器８で生成された復調データは、信号線８ｂを介して、制御回路２０に与えられる。制御回路２０は、復調データについて復号化等の処理をし、復号化されたデータは、信号線２０ｅを介して、記録回路１６に与えられる。
【００５４】
記録回路１６は、復号化されたデータが示す画像を、１ライン毎に順次、記録紙に記録する。読取回路１４で読み取られたデータ、そのデータを符号化したデータ、受信したデータ、そのデータを復号化したデータは、必要に応じてメモリ回路１８に格納される。
【００５５】
制御回路２０は、相手先装置からの情報を受信し、相手先装置へ情報を送信するための伝送制御を行う。
【００５６】
この伝送制御を規定する伝送制御手順には、ＩＴＵ−Ｔ勧告Ｖ．８、Ｖ．２１、Ｖ．２７ｔｅｒ、Ｖ．２９、Ｖ．１７、Ｖ．３４の各手順が用いられている。
【００５７】
制御回路２０は、具体的には、相手先装置との間でＩＴＵ−Ｔ勧告Ｖ．８に規定される手順を実行し、その手順に基づいて、上記相手先装置との間で実行可能な画伝送モードを設定するファクシミリ通信方式において、Ｖ．８手順後に、Ｖ．３４手順、Ｖ．３４半二重プライマリーチャネル伝送を実行、または、Ｖ．２１手順、Ｖ．２７ｔｅｒ、または、Ｖ．２９、または、Ｖ．１７画伝送を実行する手段と、Ｖ．８手順を実行せずにＶ．２１手順、Ｖ．２７ｔｅｒ、または、Ｖ．２９、または、Ｖ．１７画伝送を実行する手段と、Ｖ．３４半二重プライマリーチャネルの実行を禁止する手段と、Ｖ．８手順の実行を禁止する手段とを有する。
【００５８】
そして、Ｖ．３４半二重プライマリーチャネルの実行を禁止することが選択されていると、Ｖ．８手順後に、Ｖ．２１手順、Ｖ．２７ｔｅｒ、または、Ｖ．２９、または、Ｖ．１７画伝送を実行し、また、Ｖ．８手順の実行を禁止することが選択されていると、Ｖ．８手順を実行せずに、Ｖ．２１手順、Ｖ．２７ｔｅｒ、または、Ｖ．２９、または、Ｖ．１７画伝送を実行する。
【００５９】
図２〜図８は、ファクシミリ装置ＦＳ１の動作を示すフローチャートである。
【００６０】
ステップＳ２では、信号線２０ａにレベル「０」の信号を出力し、ＣＭＬをオフし、ステップＳ４では、信号線２０ｄにレベル「０」の信号を出力することによって、ＡＮＳａｍ信号を出力しないように設定する。
【００６１】
ステップＳ６では、操作部の情報を入力し、Ｖ．３４通信の禁止の登録が選択されたか否かを判断し、Ｖ．３４通信の禁止の登録が選択されていれば、ステップＳ８に進み、Ｖ．３４通信の禁止の登録が選択されていなければ、ステップＳ１０に進む。
【００６２】
ステップＳ８では、Ｖ．３４通信を禁止する／しないを、メモリ１８に登録し、ここで、デフォルト値は、禁止しないと登録する。
【００６３】
ステップＳ１０では、操作部の情報を入力し、Ｖ．８通信の禁止の登録が選択されたか否かを判断し、Ｖ．８通信の禁止の登録が選択されていれば、ステップＳ１２に進み、Ｖ．８通信の禁止の登録が選択されていなければ、ステップＳ１４に進む。
【００６４】
ステップＳ１２では、Ｖ．８通信を禁止する／しないを、メモリ１８に登録し、ここで、デフォルト値は、禁止しないと登録する。
【００６５】
ステップＳ１４では、着呼が選択されたか否かを判定し、着呼が選択されないと、ステップＳ１６が実行され、着呼が選択されると、ステップＳ２０が実行される。
【００６６】
ステップＳ１６では、発呼が選択されたか否かを判定し、発呼が選択されないと、ステップＳ１８が実行され、発呼が選択されると、ステップＳ６６が実行される。
【００６７】
ステップＳ１８では、その他の処理が実行され、この処理を実行した後に、再びステップＳ２に戻る。
【００６８】
ステップＳ２０では、信号線２０ａにレベル「１」の信号を出力し、ＣＭＬをオンし、ステップＳ２２では、タイマＴ１に３５秒をセットし、ステップＳ２４では、メモリ１８に格納されている情報を入力し、Ｖ．８通信の禁止が選択されているか否かを判断し、Ｖ．８通信の禁止が選択されていれば、ステップＳ２６に進み、Ｖ．８通信の禁止が選択されていなければ、ステップＳ４０に進む。
【００６９】
ステップＳ２６では、ＣＥＤ信号を送信し、ステップＳ２８では、Ｖ．２１信号での（ＮＳＦ／ＣＳＩ／）ＤＩＳ信号を送信し、ここで、Ｖ．８の受信機能無しを通知し、ステップＳ３０では、タイマＴ４に３秒をセットする。
【００７０】
ステップＳ３２では、Ｖ．２１信号での（ＴＳＩ／）ＤＣＳ信号を受信したか否かを判断し、Ｖ．２１信号での（ＴＳＩ／）ＤＣＳ信号を受信していれば、ステップＳ３８に進み、Ｖ．２１信号での（ＴＳＩ／）ＤＣＳ信号を受信していなければ、ステップＳ３４に進む。
【００７１】
ステップＳ３４では、タイマＴ４がタイムオーバしたか否かを判断し、タイマＴ４がタイムオーバしていれば、ステップＳ３６に進み、タイマＴ４がタイムオーバしていなければ、ステップＳ３２に進む。
【００７２】
ステップＳ３６では、タイマＴ１がタイムオーバしたか否かを判断し、タイマＴ１がタイムオーバしていれば、ステップＳ２に進み、タイマＴ１がタイムオーバしていなければ、ステップＳ２８に進む。
【００７３】
ステップＳ３８では、以後、Ｖ．２１手順、Ｖ．２７ｔｅｒ、Ｖ．２９、Ｖ．１７画伝送に基づいた通信を実行し、ステップＳ４０では、タイマに５秒をセットし、ステップＳ４２では、信号線２０ｄにレベル「１」の信号を出力することによって、ＡＮＳａｍ信号を出力するように設定する。
【００７４】
ステップＳ４４では、ＣＭ信号を受信したか否かを判断し、ＣＭ信号を受信していれば、ステップＳ４８に進み、ＡＮＳａｍ信号の送信を止めた後、Ｓ５０に進み、ＣＭ信号を受信していなければ、ステップＳ４６に進む。
【００７５】
ステップＳ４６では、タイマがタイムオーバしたか否かを判断し、タイマがタイムオーバしていれば、ＡＮＳａｍ信号の送信を止めた後、Ｓ２８に進み、タイマがタイムオーバしていなければ、ステップＳ４４に進む。
【００７６】
ステップＳ５０では、メモリ１８に格納されている情報を入力し、Ｖ．３４通信の禁止が選択されているか否かを判断し、Ｖ．３４通信の禁止が選択されていれば、スッテップＳ５２に進み、Ｖ．３４通信の禁止が選択されていなければ、ステップＳ５８に進む。
【００７７】
ステップＳ５２では、Ｖ．２１、Ｖ．２７ｔｅｒ、または、Ｖ．２９半二重、または、Ｖ．１７通信が可能なＣＭ信号であるか否かを判断し、上記各手順を実行可能なＣＭ信号であれば、ステップＳ５４に進み、上記各手順を実行可能なＣＭ信号でなければ、ステップＳ２に進む。
【００７８】
ステップＳ５４では、Ｖ．２１、Ｖ．２７ｔｅｒ、または、Ｖ．２９半二重、または、Ｖ．１７通信可能なＪＭ信号を送信し、ステップＳ５６は、ＣＪ信号を受信する。
【００７９】
ステップＳ５８では、Ｖ．３４半二重通信可能なＣＭ信号であるか否かを判断し、Ｖ．３４半二重通信可能なＣＭ信号であれば、ステップＳ６０に進み、Ｖ．３４半二重通信可能なＣＭ信号でなければ、ステップＳ５２に進む。
【００８０】
ステップＳ６０では、Ｖ．３４半二重通信可能なＪＭ信号を送信し、ステップＳ６２では、ＣＪ信号を受信し、ステップＳ６４では、Ｖ．３４の手順、画伝送を実行し、ステップＳ６６では、信号線２０ａにレベル「１」の信号を出力し、ＣＭＬをオンし、ステップＳ６８では、発呼回路を使用し、指定された宛先へ発呼する。
【００８１】
ステップＳ７０では、操作部の情報を入力し、Ｖ．８通信の禁止が選択されたか否かを判断し、Ｖ．８通信の禁止が選択されていれば、ステップＳ７２に進み、Ｖ．８通信の禁止が選択されていなければ、ステップＳ８２に進み、ステップＳ７２では、タイマ１に３５秒をセットする。
【００８２】
ステップＳ７４では、Ｖ．２１の（ＮＳＦ／ＣＳＩ／）ＤＩＳ信号を受信したか否かを判断し、Ｖ．２１の（ＮＳＦ／ＣＳＩ／）ＤＩＳ信号を受信していれば、ステップＳ７８に進み、Ｖ．２１の（ＮＳＦ／ＣＳＩ／）ＤＩＳ信号を受信していなければ、ステップＳ７６に進む。
【００８３】
ステップＳ７６では、初期識別信号の受信タイマがタイムオーバしたか否かを判断し、初期識別信号の受信タイマがタイムオーバしていれば、ステップＳ２に進み、初期識別信号の受信タイマがタイムオーバしていなければ、ステップＳ７４に進む。
【００８４】
ステップＳ７８では、Ｖ．２１信号でのＴＳＩ／ＤＣＳ信号を送信し、ステップＳ８０では、Ｖ．２１の手順、Ｖ．２７ｔｅｒ、または、Ｖ．２９、または、Ｖ．１７の画伝送を実行し、ステップＳ８２では、タイマ１に３５秒をセットし、ステップＳ８４では、ＦＬＧに０をセットする。
【００８５】
ステップＳ８６では、ＡＮＳａｍ信号を受信したか否かを判断し、ＡＮＳａｍ信号を受信していれば、ステップＳ８８に進み、ＡＮＳａｍ信号を受信していなければ、ステップＳ１０６に進む。
【００８６】
ステップＳ８８では、メモリ１８に格納されている情報を入力し、Ｖ．３４通信の禁止が選択されているか否かを判断し、Ｖ．３４通信の禁止が選択されていれば、ステップＳ９０に進み、Ｖ．３４通信の禁止が選択されていなければ、ステップＳ９６に進む。
【００８７】
ステップＳ９０では、Ｖ．２１、Ｖ．２７ｔｅｒ、または、Ｖ．２９半二重、または、Ｖ．１７通信可能なＣＭ信号を送信し、ステップＳ９２では、ＪＭ信号を受信し、ステップＳ９４では、ＣＪ信号を送信し、ステップＳ９６では、Ｖ．３４半二重、Ｖ．２１、Ｖ．２７ｔｅｒ、または、Ｖ．２９半二重、または、Ｖ．１７通信可能なＣＭ信号を送信し、ステップＳ９８では、ＪＭ信号を受信し、ステップＳ１００では、ＣＪ信号を送信する。
【００８８】
ステップＳ１０２では、受信したＪＭ信号に基づいて判断し、Ｖ．３４の半二重通信が可能であるか否かを判断し、Ｖ．３４の半二重通信が可能であれば、ステップＳ１０４に進み、Ｖ．３４の半二重通信が可能でなければ、ステップＳ７２に進む。
【００８９】
ステップＳ１０４では、ＣＪ信号を送信した後に、Ｖ．３４の手順、画伝送を実行する。
【００９０】
ステップＳ１０６では、Ｖ．２１の（ＮＳＦ／ＣＳＩ／）ＤＩＳ信号を受信したか否かを判断し、Ｖ．２１の（ＮＳＦ／ＣＳＩ／）ＤＩＳ信号を受信していれば、ステップＳ１１０に進み、Ｖ．２１の（ＮＳＦ／ＣＳＩ／）ＤＩＳ信号を受信していなければ、ステップＳ１０８に進む。
【００９１】
ステップＳ１０８では、タイマＴ１がタイムオーバしたか否かを判断し、ＹＥＳであるとＳ２に進み、ＮＯであるとＳ９２に進む。
【００９２】
ステップＳ１１０では、Ｖ．８の受信機能があるか否かを判断し、Ｖ．８の受信機能があれば、ステップＳ１１２に進み、Ｖ．８の受信機能がなければ、ステップＳ７８に進む。
【００９３】
ステップＳ１１２では、ＦＬＧが０であるか否かを判断し、ＦＬＧが０であれば、ステップＳ１１４に進み、ＦＬＧが０でなければ、ステップＳ７８に進む。
【００９４】
ステップＳ１１４では、ＦＬＧに１をセットし、ステップＳ１１６では、ＣＩ信号を送信する。
【００９５】
次に、上記伝送制御手順について、説明する。
【００９６】
図９は、ファクシミリ装置ＦＳ１に適用されるＶ．８、Ｖ．３４伝送制御手順の一例を示す図（Ｖ．８、Ｖ．３４通信ともに禁止でない）である。
【００９７】
図１０は、ファクシミリ装置ＦＳ１に適用されるＶ．８、Ｖ．２１、Ｖ．２７ｔｅｒ、または、Ｖ．２９、または、Ｖ．１７伝送制御手順の一例（Ｖ．３４通信のみ禁止である）を示す図である。
【００９８】
図１１は、ファクシミリ装置ＦＳ１に適用されるＶ．２１、Ｖ．２７ｔｅｒ、または、Ｖ．２９、または、Ｖ．１７伝送制御手順の一例（Ｖ．８通信の禁止である）を示す図である。
【００９９】
図１１（１）は、発呼端末でＶ．８通信を禁止する場合を示す図であり、図１１（２）は、被呼端末でＶ．８通信を禁止する場合を示す図である。
【０１００】
まず、Ｖ．８通信が禁止で無く、Ｖ．３４通信が禁止でない場合における動作（つまり、Ｖ．３４手順、Ｖ．３４画伝送を実行する動作）について説明する。また、被呼端末からのＡＮＳａｍ信号の受信からＶ．３４の手順、画伝送の実行までの伝送制御手順について、説明する。
【０１０１】
図９に示すように、被呼端末から全二重通信を可能にする信号（ＡＮＳａｍ信号であって２１００Ｈｚを１５Ｈｚで変調した信号）が送出される。発呼側からは、Ｖ．８に基づく変調によるＣＭ信号が送出され、このＣＭ信号によって画伝送時に実行可能な伝送モードが、被呼端末に通知される。
【０１０２】
ＣＭ信号を受信した被呼端末は、ＣＭ信号で指定された伝送モードの中で受信可能な伝送モード（Ｖ．３４）を、発呼端末に通知し、この通知にＪＭ信号が用いられる。
【０１０３】
ＪＭ信号を受信した発呼端末は、ＣＪ信号を送出することによって、伝送モードを被呼端末に通知する。
【０１０４】
ＣＪ信号送出後（すなわちＶ．８手順完了後）に、５０ｍｓｅｃが経過すると、発呼端末は、Ｖ．３４手順の実行を開始し、電話回線２ａの状況をチェックするためのラインプルービング信号（先頭にＩＮＦＯ０ｃが付加されている）を送出する。被呼端末は、発呼端末からのラインプルービング信号に応答した信号（先頭にＩＮＦＯ０ａが付加されている）を送出し、この信号によって、以後の送出レベル、振幅レベルの補正、伝送ボーレートを、発呼端末に通知する。
【０１０５】
発呼端末は、ラインプルービング信号を送出してから、５０ｍｓｅｃが経過した後に、ロングトレーニング信号を送出し、被呼端末は、このロングトレーニング信号に基づいて、モデムの等化器の調整、タイミング検出等を実施する。
【０１０６】
発呼端末は、ロングトレーニング信号を送出してから、５０ｍｓｅｃが経過した後に、パラメータ交換信号を送出する。被呼端末は、パラメータ交換信号に応答した信号を送出し、この信号によって、以後のリンク補正、ビットレートを、発呼端末に通知する。
【０１０７】
パラメータ交換信号に応答した後、被呼端末は、ＣＳＩ、ＤＩＳ信号を送出し、発呼端末からのＴＳＩ、ＤＣＳ信号を受信するまで、フラグを送出し、ＴＳＩ、ＤＣＳ信号を受信した後に、ＣＦＲ信号を送出する。発呼端末は、ＣＳＩ、ＤＩＳ信号を受信した後に、ＴＳＩ、ＤＣＳ信号を送出し、被呼端末からのＣＦＲ信号を受信するまで、フラグを送出する。
【０１０８】
発呼端末は、フラグを送出してから、５０ｍｓｅｃ経過後に、Ｖ．３４による画伝送を開始し、画信号を送出する。画信号の送出を終了してから、５０ｍｓｅｃ経過後に、Ｖ．３４による手順が実行され、発呼端末からは、ＰＰＳ−ＭＰＳ信号が送出され、被呼端末からのＭＣＦ信号を受信するまで、フラグが送出される。被呼端末は、ＰＰＳ−ＭＰＳ信号を受信した後に、ＭＣＦ信号を送出する。
【０１０９】
フラグを送出してから、５０ｍｓｅｃ経過後に、Ｖ．３４による画伝送が実行され、発呼端末からは、再び、画信号が送出される。画信号の送出が終了してから、５０ｍｓｅｃ経過後に、Ｖ．３４による手順が実行され、発呼端末は、ＰＰＳ−ＥＯＰ信号を送出し、ＭＣＦ信号を受信するまでフラグを送出する。被呼端末は、ＰＰＳ−ＥＯＰ信号を受信した後に、ＭＣＦ信号を送出する。以降、同様の手順が、画伝送が終了するまで繰り返される。
【０１１０】
次に、Ｖ．３４通信のみが禁止（Ｖ．８通信は禁止でない）である動作について説明する。被呼端末からＡＮＳａｍ信号を受信してから、Ｖ．２１の手順、Ｖ．１７の画伝送の実行までの伝送制御手順について、説明する。
【０１１１】
図１０に示すように、まず、被呼端末は、ＡＮＳａｍを送信し、発呼端末は、Ｖ．３４半二重通信不可能なＣＭ信号（Ｖ．２１、Ｖ．２７ｔｅｒ、Ｖ．２９半二重、Ｖ．１７通信は可能）を送信する。このときに、受信機は、ＡＮＳａｍ信号の送信を中断し、Ｖ．３４半二重通信不可能なＪＭ信号（Ｖ．２１、Ｖ．２７ｔｅｒ、Ｖ．２９半二重、Ｖ．１７通信は可能）を送信する。送信機は、ＪＭ信号に応答し、ＣＪ信号を送信する。受信機は、ＣＪ信号を受信すると、Ｖ．２７ｔｅｒ、Ｖ．２９、Ｖ．１７の受信機能は有り、Ｖ．８受信機能は無しを示すＤＩＳ信号を、Ｖ．２１で送信する。
【０１１２】
送信機は、Ｖ．１７送信を、ＤＣＳ信号によって指定する。
【０１１３】
次に、Ｖ．３４通信が禁止であり、Ｖ．８通信が禁止である動作について、説明する。
【０１１４】
図１１は、Ｖ．３４通信が禁止であり、Ｖ．８通信が禁止である動作を示すフローチャートである。
【０１１５】
図１１（１）は、発呼端末が上記設定である動作を示すフローチャートであり、被呼端末からＡＮＳａｍ信号を受信してから、Ｖ．２１の手順、Ｖ．１７の画伝送の実行までの伝送制御手順を示す図である。
【０１１６】
図１１（１）に示すように、まず、被呼端末は、ＡＮＳａｍを送信する。発呼端末は、このＡＮＳａｍ信号に応答しない。被呼端末は、ＡＮＳａｍの送信が終了すると、Ｖ．２７ｔｅｒ、Ｖ．２９、Ｖ．１７の受信機能は有り、Ｖ．８受信機能は有りを示すＤＩＳ信号を、Ｖ．２１で送信する。発呼端末は、Ｖ．１７送信を、ＤＣＳ信号によって指定する。
【０１１７】
図１１（２）は、被呼端末が上記設定である動作を示すフローチャートである。図１１（２）に示すように、まず、被呼端末は、ＣＥＤ信号を送信し、続いて、Ｖ．２７ｔｅｒ、Ｖ．２９、Ｖ．１７の受信機能は有り、Ｖ．８受信機能は無しを示すＤＩＳ信号を、Ｖ．２１で送信する。発呼端末は、Ｖ．１７送信を、ＤＣＳ信号によって指定する。
【０１１８】
上記実施例によれば、相手先装置との間でＩＴＵ−Ｔ勧告Ｖ．８に規定される手順を実行し、その手順に基づいて、上記相手先装置との間で実行可能な画伝送モードを設定するファクシミリ通信方式において、Ｖ．８手順後に、Ｖ．３４手順、Ｖ．３４半二重プライマリーチャネル伝送を実行、または、Ｖ．２１手順、Ｖ．２７ｔｅｒ、または、Ｖ．２９、または、Ｖ．１７画伝送を実行する手段と、Ｖ．８手順を実行せずに、Ｖ．２１手順、Ｖ．２７ｔｅｒ、または、Ｖ．２９、または、Ｖ．１７画伝送を実行する手段と、Ｖ．３４半二重プライマリーチャネルの実行を禁止する手段と、Ｖ．８手順の実行を禁止する手段とを有するので、Ｖ．３４手順、Ｖ．３４画伝送の実行、また、Ｖ．８手順後に、Ｖ．２１手順、Ｖ．２７ｔｅｒ、または、Ｖ．２９、または、Ｖ．１７画伝送の実行、また、Ｖ．８手順を実行せずにＶ．２１手順、Ｖ．２７ｔｅｒ、または、Ｖ．２９、または、Ｖ．１７画伝送の実行を、ユーザ設定によって確実に実現することができる。
【０１１９】
【発明の効果】
本発明によれば、Ｖ．３４手順、Ｖ．３４画伝送の実行、また、Ｖ．８手順後に、Ｖ．２１手順、Ｖ．２７ｔｅｒ、または、Ｖ．２９、または、Ｖ．１７画伝送の実行、また、Ｖ．８手順を実行せずにＶ．２１手順、Ｖ．２７ｔｅｒ、または、Ｖ．２９、または、Ｖ．１７画伝送の実行を、ユーザ設定によって確実に実現することができるという効果を奏する。
【図面の簡単な説明】
【図１】本発明の第１の実施例であるファクシミリ装置ＦＳ１のブロック図である。
【図２】ファクシミリ装置ＦＳ１の動作を示すフローチャートである。
【図３】ファクシミリ装置ＦＳ１の動作を示すフローチャートである。
【図４】ファクシミリ装置ＦＳ１の動作を示すフローチャートである。
【図５】ファクシミリ装置ＦＳ１の動作を示すフローチャートである。
【図６】ファクシミリ装置ＦＳ１の動作を示すフローチャートである。
【図７】ファクシミリ装置ＦＳ１の動作を示すフローチャートである。
【図８】ファクシミリ装置ＦＳ１の動作を示すフローチャートである。
【図９】ファクシミリ装置ＦＳ１に適用されるＶ．８、Ｖ．３４伝送制御手順の一例を示す図（Ｖ．８、Ｖ．３４通信ともに禁止でない）である。
【図１０】ファクシミリ装置ＦＳ１に適用されるＶ．８、Ｖ．２１、Ｖ．２７ｔｅｒ、または、Ｖ．２９、または、Ｖ．１７伝送制御手順の一例（Ｖ．３４通信のみ禁止である）を示す図である。
【図１１】ファクシミリ装置ＦＳ１に適用されるＶ．２１、Ｖ．２７ｔｅｒ、または、Ｖ．２９、または、Ｖ．１７伝送制御手順の一例を示す図である。
【図１２】ＩＴＵ−Ｔ勧告Ｖ．８の手順信号に含まれるプリアンブルの構成を示す図である。
【図１３】ＩＴＵ−Ｔ勧告Ｖ．８の手順信号の情報カテゴリを決定するカテゴリオクテットのフォームを示す図である。
【図１４】起呼機能オクテットのビットの使用例を示す図である。
【図１５】ＩＴＵ−Ｔ勧告Ｖ．８の手順信号で指定する変調モードを示す図である。
【図１６】ＩＴＵ−Ｔ勧告Ｖ．８の手順信号のプロトコルカテゴリ内部の符号一覧を表す図である。
【図１７】ＩＴＵ−Ｔ勧告Ｖ．８の手順信号のＧＳＴＮに接続するセルラーアクセスを示す符号を表す図である。
【図１８】ＩＴＵ−Ｔ勧告によるＶ．３４のＩＮＦＯ０シーケンスのビット定義を示す図である。
【符号の説明】
ＦＳ１…ファクシミリ装置、
１０…ＡＮＳａｍ送出回路、
１４…読取回路、
１６…記録回路、
１８…メモリ回路、
２０…制御回路。
【図１】
2004023124.tif 000003
【図２】
2004023124.tif 000004
【図３】
2004023124.tif 000005
【図４】
2004023124.tif 000006
【図５】
2004023124.tif 000007
【図６】
2004023124.tif 000008
【図７】
2004023124.tif 000009
【図８】
2004023124.tif 000010
【図９】
2004023124.tif 000011
【図１０】
2004023124.tif 000012
【図１１】
2004023124.tif 000013
【図１２】
2004023124.tif 000014
【図１３】
2004023124.tif 000015
【図１４】
2004023124.tif 000016
【図１５】
2004023124.tif 000017
【図１６】
2004023124.tif 000018
【図１７】
2004023124.tif 000019
【図１８】
2004023124.tif 000020